(57)【要約】【課題】通信ネットワーク上のサーバからコンテンツを視聴する場合、所有していないコンテンツのみを視聴し続けることができる電子機器を提供する。【解決手段】通信ネットワーク上のコンテンツ配信サーバ７２からコンテンツを取得して再生する電子機器であって、コンテンツ配信サーバ７２からコンテンツの情報を取得するコンテンツ取得部３８と、ユーザが保有済みのコンテンツのリストを作成する保有リスト作成部４０と、コンテンツ取得部３８で取得したコンテンツが保有リスト作成部４０で作成されたリストにあるかを判定する一致判定部４１と、コンテンツ取得部３８が取得したコンテンツを再生するコンテンツ再生部３６を備え、コンテンツ取得部３８は一致判定部４１の判定結果に基づいてコンテンツを取得して、コンテンツ再生部３６は当該コンテンツを再生する。【選択図】図３
2013201647.tif 000002
【特許請求の範囲】
【請求項１】
通信ネットワーク上のサーバからコンテンツを取得して再生する電子機器であって、前記サーバからコンテンツの情報を取得するコンテンツ取得手段と、ユーザが保有済みのコンテンツのリストを作成する保有リスト作成手段と、前記コンテンツ取得手段で取得したコンテンツが前記保有リスト作成手段で作成されたリストにあるかを判定する一致判定手段と、前記コンテンツ取得手段が取得したコンテンツを再生するコンテンツ再生手段を備え、前記コンテンツ取得手段は前記一致判定手段の判定結果に基づいて前記コンテンツを取得して、前記コンテンツ再生手段は当該コンテンツを再生することを特徴とする電子機器。
【請求項２】
前記一致判定手段の判定の結果、取得したコンテンツが前記リストに有る場合には、前記コンテンツ取得手段は当該コンテンツの取得をスキップさせて、次のコンテンツの情報を取得することを特徴とする請求項１に記載の電子機器。
【請求項３】
前記通信ネットワークからユーザが保有するコンテンツの１つ以上のリストを取得するリスト取得手段をさらに備え、前記保有リスト作成手段は当該取得した１つ以上リストと自機が保有するコンテンツのリストを統合してユーザが保有済みのコンテンツのリストを作成することを特徴とする請求項１または２に記載の電子機器。
【発明の詳細な説明】
【技術分野】
【０００１】
本発明は、ネットワーク上のサーバからコンテンツを受信して再生する電子機器に関するものである。
【背景技術】
【０００２】
近年、ネットワーク上でコンテンツを配信するネットラジオ局を携帯電話を経由して視聴できるものが知られている。また、放送は従来のＦＭ／ＡＭラジオとは異なり同時刻、同ネットラジオ局において視聴者一人ひとりが違うコンテンツを視聴でき、さらにコンテンツをスキップさせて、次のコンテンツを視聴することができるようになっている（例えば特許文献１参照)。
【先行技術文献】
【特許文献】
【０００３】
【特許文献１】特開２００７−１５０７６４号公報
【発明の概要】
【発明が解決しようとする課題】
【０００４】
上記従来例において、コンテンツをスキップさせるためには、視聴者がコンテンツの先頭を視聴し、そしてコンテンツをスキップさせる操作が必要であり、使い勝手が悪いという課題があった。
【０００５】
そこで本発明は、コンテンツの先頭を視聴することなく、さらにコンテンツをスキップさせる操作をしなくても、所望のコンテンツを視聴できる電子機器を提供することを目的とする。
【課題を解決するための手段】
【０００６】
この目的を達成するために本発明の電子機器は、通信ネットワーク上のサーバからコンテンツを取得して再生する電子機器であって、サーバからコンテンツの情報を取得するコンテンツ取得手段と、ユーザが保有済みのコンテンツのリストを作成する保有リスト作成手段と、コンテンツ取得手段で取得したコンテンツが保有リスト作成手段で作成されたリストにあるかを判定する一致判定手段と、コンテンツ取得手段が取得したコンテンツを再生するコンテンツ再生手段を備え、コンテンツ取得手段は一致判定手段の判定結果に基づいてコンテンツを取得して、コンテンツ再生手段は当該コンテンツを再生する。
【０００７】
ここで、一致判定手段の判定の結果、取得したコンテンツがリストに有る場合には、コンテンツ取得手段は当該コンテンツの取得をスキップさせて、次のコンテンツの情報を取得する。
【０００８】
また、通信ネットワークからユーザが保有するコンテンツの１つ以上のリストを取得するリスト取得手段をさらに備え、保有リスト作成手段は当該取得した１つ以上リストと自機が保有するコンテンツのリストを統合してユーザが保有済みのコンテンツのリストを作成する。
【発明の効果】
【０００９】
本発明の電子機器によれば、ユーザはスキップ操作することなく、配信サーバから保有していないコンテンツだけを視聴し続けることができ、使い勝手をよくすることができる。
【図面の簡単な説明】
【００１０】
【図１】本発明の一実施形態にかかる車載用電子機器を車内に設置した状態を示す図
【図２】車載用電子機器３が音楽再生状態の時の一例を示す正面図
【図３】車載用電子機器３と端末６と通信ネットワーク７の全体のシステム構成図
【図４】車載用電子機器３がコンテンツを受信して再生する処理の流れを示すフローチャート
【発明を実施するための形態】
【００１１】
以下、本発明の実施の形態を、図面を参照しながら説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。本実施の形態では、本発明の電子機器の一例を、車に搭載される車載用電子機器として説明する。
【００１２】
図１は、車載用電子機器３を車両１の車内に設置した状態を示している。図１において、車両１のフロント部分には、ハンドル２が設けられ、このハンドル２の側方のダッシュボードに車載用電子機器３が配置されている。車室内のフロント部分には、座席４ＦＲ、４ＦＬが配置されている。さらに、後部には座席４ＲＲ、４ＲＬが配置されている。
【００１３】
本実施の形態では、座席４ＦＲに端末６を所持したユーザ５が着座しているものとして説明する。なお、端末６は携帯電話、スマートフォンなどであり、外部の通信ネットワーク７と接続可能な通信機能を有するものである。また、端末６はＵＳＢなどの有線により、またはＢｌｕｅｔｏｏｔｈ（登録商標）などの無線により車載用電子機器３と接続可能な通信機能を有している。図２は、音楽再生状態の車載用電子機器３の一例を示す正面図で、正面にはユーザが操作入力するためのスイッチ、エンコーダからなる操作入力部３３と、端末６を介して通信ネットワーク７から取得して再生中の音楽データなどを表示する表示部３４を備えている。
【００１４】
本実施の形態においては、車載用電子機器３と、端末６、通信ネットワーク７の全体のシステムを図３のような構成として説明する。
【００１５】
まず初めに、通信ネットワーク７について説明する。図３において、通信ネットワーク７は、コンテンツを蓄積しているコンテンツ蓄積部７１と、コンテンツ蓄積部７１を管理するコンテンツ配信サーバ７２と、ユーザ５が購入済のコンテンツを格納している購入済コンテンツ蓄積部７３と、購入済コンテンツ蓄積部７３を管理するユーザコンテンツ管理サーバ７４と、ユーザ５が所有しているＰＣ（Ｐｅｒｓｏｎａｌ  Ｃｏｍｐｕｔｅｒ）７５と、インターネット７６により構成されている。
【００１６】
コンテンツ蓄積部７１は、ハードディスク装置のような記憶装置からなり、音楽データ、映像データなどのコンテンツを蓄積する。
【００１７】
コンテンツ配信サーバ７２は、インターネット７６に接続され、ユーザ５から配信要求のあったコンテンツをコンテンツ蓄積部７１から取得して、インターネット７６を介してユーザに配信する。
【００１８】
購入済コンテンツ蓄積部７３は、ハードディスク装置のような記憶装置からなり、ユーザ５が今までコンテンツ配信サーバ７２などから配信を受けるなどした購入済みのコンテンツを蓄積している。蓄積されるコンテンツは、購入したコンテンツそのものであっても、そのコンテンツの購入した配信権であってもよい。
【００１９】
ユーザコンテンツ管理サーバ７４は、購入済コンテンツ蓄積部７３に蓄積されている購入済コンテンツを管理・更新する。コンテンツが例えば音楽データの場合は、曲名、アーティスト名や曲を特定するためのＩＤなどの情報をリスト化し、購入済コンテンツ蓄積部７３に蓄積する。ユーザコンテンツ管理サーバ７４は、インターネット７６に接続されており、ユーザからの要求に対して購入済コンテンツリストを購入済コンテンツ蓄積部７３から読み出して、インターネット７６を介して送信する。
【００２０】
ＰＣ７５は、ユーザの家などに設置され、インターネット７６に接続されている。ユーザがＰＣ７５上に保有するコンテンツおよびそれらをリスト化したＰＣ上コンテンツリストを記憶する記憶装置を備えている。ＰＣ７５はユーザからの要求に対してＰＣ上コンテンツリストをその記憶装置から読み出して、インターネット７６を介して送信する。
【００２１】
なお、端末６と通信ネットワーク７との通信手段としては３Ｇなどの移動体通信を用いることが多いが、これに限定するものではない。
【００２２】
次に、車載用電子機器３について説明する。図３において、車載用電子機器３は、端末６と電波を送受信するためのアンテナ３１と、アンテナ３１を介して信号を送受信する送受信部３２と、ユーザの操作入力を受け付ける操作入力部３３と、各種の情報を表示する表示部３４と、コンテンツ等を蓄積する蓄積部３５と、コンテンツを再生するコンテンツ再生部３６と、制御部３７とを備えている。
【００２３】
送受信部３２は、アンテナ３１を介して端末６と信号の送受信を行うためのＢｌｕｅｔｏｏｔｈ（登録商標）などの通信モジュールで構成される。なお、端末６と有線で接続する場合にはアンテナ３１は車載用電子機器３には含まれず、送受信部３２は端末６とＵＳＢケーブル等で接続するようにしてもよい。操作入力部３３は、ユーザが操作入力するためのスイッチ、エンコーダ、タッチパネルなどからなり、図２に示したように車載用電子機器３の正面に設置される。表示部３４は、液晶ディスプレイ、液晶ディスプレイやＶＦＤ（Ｖａｃｕｕｍ  Ｆｌｕｏｒｅｓｃｅｎｔ  Ｄｉｓｐｌａｙ）などで構成され、図２に示した様に、再生中の音楽データの楽曲名などを表示する。
【００２４】
蓄積部３５は、車載用電子機器３上でユーザが保有するコンテンツおよびそれらをリスト化した自機上コンテンツリストを記憶する記憶装置で、ハードディスクドライブやＳＤカードなどの半導体メモリで構成される。コンテンツ再生部３６は、制御部３７からの指示に基づき、コンテンツを再生する。コンテンツが圧縮及び／又は暗号化されている場合には、デコーダ機能を有している。
【００２５】
制御部３７は、典型的にはＣＰＵ、ＲＯＭ及びＲＡＭを含んでおり、ＣＰＵは、ＲＯＭに予め格納されるコンピュータプログラムを、ＲＡＭを使って実行する。図３の機能ブロック図で示すように、制御部３７は、コンテンツ取得部３８と、リスト取得部３９と、保有リスト作成部４０と、一致判定部４１から構成される。
【００２６】
コンテンツ取得部３８は、操作入力部３３からの指示に基づき、送受信部３２を介してコンテンツ配信サーバ７２からコンテンツを取得する。例えば、コンテンツ配信サーバ７２が楽曲を提供するサーバの場合、ユーザからのサイトへの接続指示に基づいてサイトに接続し、提供される楽曲情報をダウンロードする。同時に、コンテンツ取得部３８はリスト取得部３９にリスト取得指示を伝える。リスト取得部３９はコンテンツ取得部３８からの指示に基づき、送受信部３２を介してユーザコンテンツ管理サーバ７４から購入済コンテンツリストを取得する。さらに、リスト取得部３９はＰＣ７５から、ＰＣ上コンテンツリストを取得する。
【００２７】
保有リスト作成部４０は、リスト取得部３９が取得した購入済コンテンツリスト、ＰＣ上コンテンツリスト、および蓄積部３５から自機上コンテンツリストを取得して、それらを統合してソートした、ユーザが保有する全コンテンツリストを作成する。保有リスト作成部４０は、作成した全コンテンツリストを一致判定部４１に送る。一致判定部４１は、保有リスト作成部４０から取得した全コンテンツリストと、コンテンツ取得部３８から取得したコンテンツを照合する。例えば、コンテンツが楽曲とすると、一致判定部４１は、照合した楽曲が全コンテンツリストの中にある場合には、その楽曲をスキップして次の楽曲情報を取得する様にコンテンツ取得部３８に指示する。コンテンツ取得部３８は次の楽曲情報を取得して、一致判定部４１は取得された楽曲情報について同様に照合を行う。照合した楽曲が全コンテンツリストの中にない場合には、コンテンツ取得部３８にその楽曲を取得するように指示し、コンテンツ再生部３６にその楽曲を再生させる。
【００２８】
以上のように構成された全体のシステムにおいて、車載用電子機器３がコンテンツ配信サーバ７２からコンテンツを受信して再生する処理の流れを、図４のフローチャートを用いて説明する。
【００２９】
まず、ユーザ５による操作入力部３３への入力を制御部３７が受け、コンテンツ取得部３８が送受信部３２を介してコンテンツ配信サーバ７２からコンテンツ情報を取得する（ステップＳ１）。次に、リスト取得部３９はコンテンツ取得部３８からの指示に基づき、ユーザコンテンツ管理サーバ７４およびＰＣ７５から、それぞれ購入済コンテンツリスト、ＰＣ上コンテンツリストを取得する（ステップＳ２）。そして、保有リスト作成部４０は、ステップＳ２でリスト取得部３９が取得した購入済コンテンツリスト、ＰＣ上コンテンツリスト、および蓄積部３５の自機上コンテンツリストから、それらを統合してソートした、全コンテンツリストを作成する（ステップＳ３）。
【００３０】
次に、一致判定部４１は、ステップ１で取得されたコンテンツが、ステップ３で作成された全コンテンツリストに有るか否かの一致判定をおこなう（ステップＳ４）。コンテンツが全コンテンツリストにある場合（ステップＳ４でＹｅｓ）、ユーザはそのコンテンツを既に保有しているため、一致判定部４１はそのコンテンツを再生せずにスキップして（ステップＳ５）、ステップＳ１に処理を戻し、コンテンツ取得部３８に次のコンテンツ情報を取得させる。
【００３１】
一方、ステップ４でコンテンツが全コンテンツリストにない場合（ステップＳ４でＮｏ）、ユーザはそのコンテンツをどこにも保有していないため、一致判定部４１はコンテンツ取得部３８に指示して、表示部３４にそのコンテンツ情報を表示させる（ステップＳ６）。そして、一致判定部４１は、コンテンツ取得部３８にその楽曲を取得するように指示して、コンテンツ再生部３６に取得したコンテンツを再生させ（ステップＳ７）、処理を終了する。
【００３２】
以上のように本発明の車載用電子機器では、既にユーザが保有するコンテンツであれば、配信で聴く必要もないため自動的にスキップすることができる。そのため、ユーザは車載用電子機器を操作することなく保有済以外のコンテンツを視聴し続けることができ、通信ネットワーク上のコンテンツを快適に視聴することができる。
【００３３】
なお、本実施の形態では車載用電子機器３自体に通信ネットワーク７に直接接続する様な通信機能は備えておらず、端末６を介して通信ネットワーク７に接続するものとしたが、車載用電子機器３自体が通信ネットワーク７に直接接続する機能を有していても良い。
【００３４】
また、電子機器は車に搭載される車載用電子機器として説明したが、それに限定されるものではなく、通信ネットワーク上のサーバからコンテンツを受信して再生するコンピュータ、携帯電話、スマートフォン、タブレット端末などの電子機器も含まれる。電子機器が車載用電子機器である場合は、ユーザである運転者の車載用電子機器へのスキップ操作入力の必要がなくなるため、安全面での効果も大きい。
【産業上の利用可能性】
【００３５】
本発明の電子機器は、ユーザはスキップ操作することなく、配信サーバから保有していないコンテンツだけを視聴し続けることができ、使い勝手をがいいという効果を有し、携帯電話、コンピュータや、車に搭載されるオーディオ装置等の電子機器等として有用である。
【符号の説明】
【００３６】
１    車両
２    ハンドル
３    車載用電子機器
４ＦＲ、４ＦＬ、４ＲＲ、４ＲＬ    座席
５    ユーザ
６    端末
７    通信ネットワーク
３１    アンテナ
３２    送受信部
３３    操作入力部
３４    表示部
３５    蓄積部
３６    コンテンツ再生部
３７    制御部
３８    コンテンツ取得部
３９    リスト取得部
４０    保有リスト作成部
４１    一致判定部
７１    コンテンツ蓄積部
７２    コンテンツ配信サーバ
７３    購入済コンテンツ蓄積部
７４    ユーザコンテンツ管理サーバ
７５    ＰＣ
【図１】
2013201647.tif 000003
【図２】
2013201647.tif 000004
【図３】
2013201647.tif 000005
【図４】
2013201647.tif 000006